(57)【要約】【課題】  電源系統の繋りを確実かつ容易に視認する。【解決手段】  操作釦５ｄに繋がる負荷側の系統を確認したいときは、繋り表示部７ａの操作釦１８ａを押下する。これによって、表示灯部１７ａが水色に表示されると同時に、繋り表示部７ａに対応する繋り表示部７ｅの表示灯部１７ｅが水色に表示される。これにより、繋り表示部７ａと繋り表示部７ｅとの繋りを認識し、繋り表示部７ａに対応した操作釦５ｄと、繋り表示部７ｅに対応した操作釦５ｇとの繋りを視認し、遮断器１２ｅと遮断器１２ｆとが接続されていることを確認する。【選択図】  図５
2011004453.tif 000002
【特許請求の範囲】
【請求項１】
所定の系統を表示するための帯状表示部が、第１の領域及び第２の領域に配置された前面部を備えた電気盤であって、
前記第１の領域に配置された前記帯状表示部のうちの第１の帯状表示部と、前記第２の領域に配置された前記帯状表示部のうちの第２の帯状表示部とが系統上繋っていることを示すために共に設けられ、前記第１の帯状表示部の端部に配置された第１の繋り表示部、及び前記第２の帯状表示部の端部に配置された第２の繋り表示部を備えた
ことを特徴とする電気盤。
【請求項２】
前記帯状表示部とともに、機器を操作するための機器操作部と、前記機器の状態を示す状態表示部とが、それぞれ、前記前面部の前記第１の領域及び前記第２の領域に配置され、前記第１の繋り表示部及び前記第２の繋り表示部は、互いに同色の表示灯部と、前記表示灯部を点灯させるための表示操作部とをそれぞれ有していることを特徴とする請求項１に記載の電気盤。
【請求項３】
前記第１の繋り表示部及び前記第２の繋り表示部は、互いに同色の表示板をそれぞれ有していることを特徴とする請求項１又は２に記載の電気盤。
【請求項４】
前記第１の繋り表示部から前記第２の繋り表示部へ至る経路に沿って、表示素子が線状に配置されて構成された繋り経路表示部を備えたことを特徴とする請求項１、２又は３に記載の電気盤。
【請求項５】
前記繋り経路表示部の前記表示素子は、前記表示操作部の操作によって点灯することを特徴とする請求項４に記載の電気盤。
【請求項６】
前記系統の異常時に、前記表示灯部及び／又は前記繋り経路表示部が点灯するように構成されていることを特徴とする請求項２乃至５のいずれか１に記載の電気盤。
【請求項７】
前記系統は電力系統であり、低電圧リレーを含む異常検出リレーを備え、前記異常検出リレーの動作によって前記表示灯部及び／又は前記繋り経路表示部が点灯することを特徴とする請求項６に記載の電気盤。
【請求項８】
前記表示灯部又は／及び前記繋り経路表示部は、赤色、緑色、青色のＬＥＤを少なくとも１組有し、異常の種別、異常箇所、又は重要度に応じて、表示色又は／及び点滅パターンが選択されることを特徴とする請求項６又は７に記載の電気盤。
【発明の詳細な説明】
【技術分野】
【０００１】
この発明は、例えば、発電所の中央制御室等に配置され、前面部に電力系統等が表示された電気盤に関する。
【背景技術】
【０００２】
従来より、発電所等の中央制御室には、電気盤が配置され、その前面部には、電源系統が表示され、かつ、遮断器等を操作するための操作釦や、計器類等が配置されている。ところで、例えば液化天然ガス（ＬＮＧ：Ｌｉｑｕｅｆｉｅｄ  Ｎａｔｕｒａｌ  Ｇａｓ）設備を有する火力発電所の所内電源系統は、非常に複雑であり、前面部にバランスよくレイアウトされ、簡潔に表示されている（例えば、特許文献１参照。）。
【０００３】
このため、所内電源系統の表示のための帯状（線状）表示板が、実際は連続しているところを、所定の箇所で分断して途切れた状態で、例えば、分断箇所から見て、電源側と負荷側とで互いに離れた位置に配置せざるを得ない箇所も多数生じてしまう。そこで、途切れた箇所の電源側の帯状表示板の端部（下端部）と、負荷側の帯状表示板の端部（上端部）とに、同一名称を表示した名板を配置して、繋りを示している。
【先行技術文献】
【特許文献】
【０００４】
【特許文献１】特開平６−２７６１６５号公報
【発明の概要】
【発明が解決しようとする課題】
【０００５】
しかしながら、上記従来技術では、名称が表示された名板が多数配置されているのに加えて、文字も大きくできない制約があるために、一目で確認できず、電源系統の繋りの確認に手間取ったり、誤認してしまう虞があった。このため、所内電源の停電操作や、全停電等の電源トラブルが発生した緊急時に、所内電源系統の繋りを迅速に確認できず、操作に手間取ったり、誤操作の原因となってしまう可能性がある。
【０００６】
この発明は、前記の課題を解決し、電源系統等の系統が、途中で分断されて、分断箇所以降の負荷側の表示部分が、電源側の表示部分と別の位置に配置されていたとしても、系統の繋りを確実かつ容易に視認することができる電気盤を提供することを目的としている。
【課題を解決するための手段】
【０００７】
前記の課題を解決するために、請求項１の発明は、所定の系統を表示するための帯状表示部が、第１の領域及び第２の領域に配置された前面部を備えた電気盤であって、前記第１の領域に配置された前記帯状表示部のうちの第１の帯状表示部と、前記第２の領域に配置された前記帯状表示部のうちの第２の帯状表示部とが系統上繋っていることを示すために共に設けられ、前記第１の帯状表示部の端部に配置された第１の繋り表示部、及び前記第２の帯状表示部の端部に配置された第２の繋り表示部を備えたことを特徴としている。
【０００８】
請求項１の発明では、第１の領域の第１の帯状表示部の端部に配置された第１の繋り表示部と、第２の領域の第２の帯状表示部の端部に配置された第２の繋り表示部とが、第１の帯状表示部と、第２の帯状表示部とが系統上繋っていることを示すために共に設けられる。
【０００９】
請求項２の発明は、請求項１に記載の電気盤であって、前記帯状表示部とともに、機器を操作するための機器操作部と、前記機器の状態を示す状態表示部とが、それぞれ、前記前面部の前記第１の領域及び前記第２の領域に配置され、前記第１の繋り表示部及び前記第２の繋り表示部は、互いに同色の表示灯部と、前記表示灯部を点灯させるための表示操作部とをそれぞれ有していることを特徴としている。
【００１０】
請求項３の発明は、請求項１又は２に記載の電気盤であって、前記第１の繋り表示部及び前記第２の繋り表示部は、互いに同色の表示板をそれぞれ有していることを特徴としている。
【００１１】
請求項４の発明は、請求項１、２又は３に記載の電気盤であって、前記第１の繋り表示部から前記第２の繋り表示部へ至る経路に沿って、表示素子が線状に配置されて構成された繋り経路表示部を備えたことを特徴としている。
【００１２】
請求項５の発明は、請求項４に記載の電気盤であって、前記繋り経路表示部の前記表示素子は、前記表示操作部の操作によって点灯することを特徴としている。
【００１３】
請求項６の発明は、請求項２乃至５のいずれか１に記載の電気盤であって、前記系統の異常時に、前記表示灯部及び／又は前記繋り経路表示部が点灯するように構成されていることを特徴としている。
【００１４】
請求項７の発明は、請求項６に記載の電気盤であって、前記系統は電力系統であり、低電圧リレーを含む異常検出リレーを備え、前記異常検出リレーの動作によって前記表示灯部及び／又は前記繋り経路表示部が点灯することを特徴としている。
【００１５】
請求項８の発明は、請求項６又は７に記載の電気盤であって、前記表示灯部又は／及び前記繋り経路表示部は、赤色、緑色、青色のＬＥＤを少なくとも１組有し、異常の種別、異常箇所、又は重要度に応じて、表示色又は／及び点滅パターンが選択されることを特徴としている。
【発明の効果】
【００１６】
請求項１の発明によれば、第１の領域の第１の帯状表示部の端部に配置された第１の繋り表示部と、第２の領域の第２の帯状表示部の端部に配置された第２の繋り表示部とが、第１の帯状表示部と、第２の帯状表示部とが系統上繋っていることを示すために共に設けられているので、系統が、途中で分断されて、第１の帯状表示部と、第２の帯状表示部とが、別の位置に配置されていたとしても、系統の繋りを確実かつ容易に視認することができる。
【００１７】
請求項２の発明によれば、第１の繋り表示部及び第２の繋り表示部は、互いに同色の表示灯部をそれぞれ有しているので、表示灯部の点灯により、系統の繋りを確実かつ容易に視認することができる。
【００１８】
請求項３の発明によれば、第１の繋り表示部及び第２の繋り表示部は、互いに同色の表示板をそれぞれ有しているので、表示板同士を照合することにより、系統の繋りを確実かつ容易に視認することができる。
【００１９】
請求項４の発明によれば、第１の繋り表示部から第２の繋り表示部へ至る経路に沿って、表示素子が線状に配置されているので、明瞭に系統の繋りを視認することができる。
【００２０】
請求項５の発明によれば、繋り経路表示部は、表示操作部の操作によって点灯するので、表示灯部及び繋り経路表示部を同時に点灯させて、明瞭に系統の繋りを視認することができる。
【００２１】
請求項６の発明によれば、系統異常時にも、表示灯部及び／又は繋り経路表示部が点灯するので、迅速に必要な操作を行うことができる。
【００２２】
請求項７の発明によれば、低電圧リレーを含む異常検出リレーの動作によって、表示灯部及び／又は繋り経路表示部が点灯するので、迅速に必要な操作を行うことができる。
【００２３】
請求項８の発明によれば、異常の種別、異常箇所、又は重要度に応じて、表示色又は／及び点滅パターンが選択されるので、異常の種別や異常箇所、重要度を瞬時に知ることができる。
【図面の簡単な説明】
【００２４】
【図１】この発明の実施の形態１による電気盤の構成を説明するための説明図である。
【図２】同電気盤に対応する所内電源系統を示す図である。
【図３】図１のＡ部を拡大して示す拡大図である。
【図４】図１のＢ部を拡大して示す拡大図である。
【図５】同電気盤の対応する一対の繋り表示部の関係を説明するための説明図である。
【図６】この発明の実施の形態２による電気盤の対応する一対の繋り表示部の関係を説明するための説明図である。
【図７】この発明の実施の形態１の変形例による電気盤の一対の繋り表示部のうちの一方の繋り表示部の構成を示す図である。
【図８】同一対の繋り表示部のうちの他方の繋り表示部の構成を示す図である。
【発明を実施するための形態】
【００２５】
次に、この発明の実施の形態について、図面を用いて詳しく説明する。
【００２６】
（実施の形態１）
図１は、この発明の実施の形態１による電気盤の構成を説明するための説明図、図２は、同電気盤に対応する所内電源系統を示す図、図３は、図１のＡ部を拡大して示す拡大図、図４は、図１のＢ部を拡大して示す拡大図、図５は、同電気盤の対応する一対の繋り表示部の関係を説明するための説明図である。
【００２７】
図１に示すように、この実施の形態の電気盤１は、例えば、ＬＮＧ設備を有する火力発電所の中央制御室に配置され、その前面部２には、計器類３ａ，３ｂ，…が配置されるとともに、所内電源系統を表示するための帯状表示板４ａ，４ｂ，…や、遮断器等を操作するための操作釦５ａ，５ｂ，…、変圧器を示す表示板６ａ，６ｂ，…等が配置され、筐体内部には、各種リレー等が配設されている。
【００２８】
図１及び図２に示すように、水平に配置された帯状表示板４ａ，４ｂは、実際の系統では、それぞれ、１１０ｋＶ乙母線９ａ、１１０ｋＶ甲母線９ｂを示している。また、帯状表示板４ｅ，４ｇは、母線９ｃ，９ｄを示している。また、断路器１１ａ，１１ｂ，…、遮断器（開閉器）１２ａ，１２ｂ，…等に対応して、前面部２には、操作釦５ａ，５ｂ，…が配置されている。また、例えば、表示板６ａは、変圧器１３ａに対応している。なお、図２において、１４ａは、発電機を示している。
【００２９】
なお、操作釦５ａ（５ｂ，５ｃ，…）には、表示灯（「入」を示す緑色表示灯及び「切」を示す赤色表示灯）が設けられているとともに、誤操作防止のための保護カバーが取り付けられている。また、例えば、表示板６ａの電源側及び負荷側の帯状表示板４ｃ，４ｄは、互いに異なる表示色とされている。
【００３０】
この電気盤１では、前面部２にバランスよく、かつ、効率的にレイアウトするために、例えば、電源側から負荷側に至るまでの所定の経路のうち、途中の所定の箇所（例えば、図２の点Ｃで示す箇所。）で、経路を分断し、この分断箇所から見て、電源側部分と、負荷側部分とを別の位置に配置している（図１においては、電源側部分が右側領域（第１の領域）、負荷側部分が左側領域（第２の領域）。）。そして、電源側部分（第１の帯状表示部）の端部（下部）と、負荷側部分（第２の帯状表示部）の端部（上部）とには、それぞれ、互いの繋り（実際には繋がっていること）を示すための繋り表示部７ａ，７ｂ，…と、繋り表示部７ｅ，７ｆ，…とが配置されている。
【００３１】
例えば、繋り表示部７ａ（７ｂ，７ｃ）は、図３に示すように、対応する操作釦５ｄ（５ｅ，５ｆ）の下方に配置され、名板１５ａ（１５ｂ，１５ｃ）と、着色されたマグネット板（例えば、ボンド磁石）からなる色表示部１６ａ（１６ｂ，１６ｃ）と、例えば、複数の同色のＬＥＤからなる表示灯部１７ａ（１７ｂ，１７ｃ）と、表示灯部１７ａ（１７ｂ，１７ｃ）を点灯させるための操作釦１８ａ（１８ｂ，１８ｃ）とを有している。
【００３２】
また、例えば、繋り表示部７ａに対応する繋り表示部７ｅは、図４に示すように、対応する操作釦５ｇの上方に配置され、名板１５ｅと、着色したマグネット板からなる色表示部１６ｅと、例えば、複数の同色のＬＥＤからなる表示灯部１７ｅと、表示灯部１７ｅを点灯させるための操作釦１８ｅとを有している。
【００３３】
ここで、対応する繋り表示部７ａと繋り表示部７ｅとで、名板１５ａと名板１５ｅとには同一の名称が表示され、色表示部１６ａと色表示部１６ｅとのマグネット板の色は同色（例えば、水色）とされ、表示灯部１７ａと表示灯部１７ｅとのＬＥＤの色は、同色（例えば、水色）とされる。また、操作釦１８ａを押下した場合に、表示灯部１７ａとともに表示灯部１７ｅも同時に点灯し、操作釦１８ｅを押下した場合に、表示灯部１７ｅとともに表示灯部１７ａも同時に点灯するように構成されている。
【００３４】
操作釦１８ａ（１８ｅ）の押下によって、例えば、表示回路用リレーの駆動コイルが励磁され、表示灯部１７ａ及び表示灯部１７ｅのＬＥＤ群にそれぞれ直列に接続された表示回路用リレーの各メーク接点（ａ接点）が閉じて、両ＬＥＤ群に所定の電圧が印加されて、両ＬＥＤ群が点灯する。
【００３５】
図１及び図２に示すように、例えば、操作釦５ｄは、遮断器１２ｅに対応し、操作釦５ｇは、遮断器１２ｆに対応している。したがって、操作釦５ｄに対応した繋り表示部７ａと、操作釦５ｇに対応した繋り表示部７ｅとの繋りを視認させることによって、遮断器１２ｅと遮断器１２ｆとが接続されていることを示す。また、色表示部１６ａ，１６ｂ，…、及び表示灯部１７ａ，１７ｂ，…の表示色は、分断箇所の数に応じて複数色（例えば、水色、赤色、青色、紫色、黄色、緑色、桃色、黄緑色、橙色の９色）用いられる。
【００３６】
次に、図５を参照して、この実施の形態の電気盤１の動作について説明する。図５に示すように、運転員が、例えば、操作釦５ｄを操作しようとする場合に、操作釦５ｄに繋がる負荷側の系統を確認したいときは、繋り表示部７ａの操作釦１８ａを押下する。これによって、表示灯部１７ａが水色に発光すると同時に、繋り表示部７ａに対応する繋り表示部７ｅの表示灯部１７ｅが水色に発光する。
【００３７】
これにより、運転員は、図５中、点線で示すように、繋り表示部７ａと繋り表示部７ｅとの繋りを認識する。こうして、運転員は、操作釦５ｄに対応した繋り表示部７ａと、操作釦５ｇに対応した繋り表示部７ｅとの繋りを視認し、遮断器１２ｅと遮断器１２ｆとが接続されていることを確認する。
【００３８】
また、運転員が、例えば、操作釦５ｇを操作しようとする場合に、操作釦５ｇに繋がる電源側の系統を確認したいときは、繋り表示部７ｅの操作釦１８ｅを押下する。これによって、表示灯部１７ｅが水色に発光すると同時に、繋り表示部７ｅに対応する繋り表示部７ａの表示灯部１７ａが水色に発光する。これにより、運転員は、図５中、点線で示すように、繋り表示部７ｅと繋り表示部７ａとの繋りを認識する。
【００３９】
こうして、この実施の形態の構成によれば、所内電源系統が、途中で分断されて、分断箇所以降の負荷側の表示部分が、電源側の表示部分と別の位置に配置されていたとしても、分断箇所の負荷側部分の端部と、電源側部分の端部とに、それぞれ繋り表示部が配置され、操作釦の押下で、同一色で表示されるＬＥＤからなる表示灯部が配置されているので、系統の繋りを確実かつ容易に視認することができる。
【００４０】
したがって、所内電源の停電操作や、全停電等の電源トラブルが発生した緊急時に、電源系統の繋りを迅速に確認し、迅速かつ正確に操作することができ、誤操作を防止することができる。また、所内電源系統が、途中で分断されて表示されていても、熟練者に限らず、新入社員や転入者でも、所内電源系統を容易に理解することができる。
【００４１】
（実施の形態２）
図６は、この発明の実施の形態２による電気盤の対応する一対の繋り表示部の関係を説明するための説明図である。この例の構成が上述した実施の形態１の構成と大きく異なるところは、表示灯部のほかに、経路を示す表示素子を線状に配置し、かつ、操作釦の押下のほか、系統異常時等にも点灯するように構成した点である。
【００４２】
この実施の形態の電気盤では、前面部に、例えば、電源側から負荷側に至るまでの所定の経路のうち、途中の所定の箇所で、経路を分断し、電源側部分と、負荷側部分とを別の位置に配置し、電源側部分の端部（下部）と、負荷側部分の端部（上部）とには、それぞれ、互いの繋りを示すための繋り表示部７ａ，７ｂ，…、と繋り表示部７ｅ，７ｆ，…とが配置され、かつ、対応する繋り表示部同士の間には、ＬＥＤ等の表示素子が線状に配置された経路表示部が配置されている。
【００４３】
例えば、繋り表示部７ａと繋り表示部７ｅとは、図６に示すように、繋り表示部７ａの下方から繋り表示部７ｅの上方へ至る経路に沿って、ＬＥＤ等の表示素子が線状に配置された経路表示部２１が設けられている。
【００４４】
また、この実施の形態では、例えば、操作釦１８ａや操作釦１８ｅの押下に加えて、対応する系統の異常時（停電時を含む。）にも、低電圧リレー等の異常検出リレーの動作によっても、表示灯部１７ａや表示灯部１７ｅのほか、経路表示部２１のＬＥＤも点灯する。例えば、低電圧リレーの駆動コイルが励磁され、表示灯部１７ａ、表示灯部１７ｅ、及び経路表示部２１のＬＥＤ群に、それぞれ直列に接続された低電圧リレーの各メーク接点が閉じて、各ＬＥＤ群に所定の電圧が印加されて、各ＬＥＤ群が点灯する。なお、故障箇所や異常箇所において、故障表示灯を点灯させるようにしても良い。
【００４５】
この実施の形態の構成によれば、実施の形態１と略同一の効果を得ることができる。加えて、対応する繋り表示部同士の間には、両端部を繋ぐように、表示素子を線状に配置した経路表示部２１を設けたので、一段と明瞭に系統の繋りを視認することができる。また、系統異常時にも、低電圧リレー等の異常検出リレーの動作によって、表示灯部１７ａや表示灯部１７ｅ、経路表示部２１のＬＥＤが点灯するので、運転員は、迅速に必要な操作を行うことができる。
【００４６】
以上、この発明の実施の形態を図面を参照して詳述してきたが、具体的な構成はこれらの実施の形態に限られるものではなく、この発明の要旨を逸脱しない範囲の設計の変更等があってもこの発明に含まれる。例えば、上述した実施の形態では、電源側の繋り表示部と、負荷側の繋り表示部とが、１対１に対応する場合について述べたが、１対多の場合にも適用できる。また、第１の領域及び第２の領域は、ともに複数あっても良い。
【００４７】
また、図７及び図８に示すように、表示灯を廃し、繋り表示部２３ａ（２３ｂ，２３ｃ，…）を、名板１５ａ（１５ｂ，１５ｃ，…）と、色表示部１６ａ（１６ｂ，１６ｃ，…）とから構成するようにしても良い。また、帯状表示板４ａ，４ｂ，…に代えて、単に着色表示としても良い。また、表示色を変更可としても良い。また、表示灯部１７ａ（１７ｂ，１７ｃ，…）を、対応する操作釦５ａ（５ｂ，５ｃ，…）の保護カバーに触れた場合に、点灯するようにしても良いし、人が接近した場合に点灯するようにしても良い。また、表示灯部１７ａ（１７ｂ，１７ｃ，…）で、単一のＬＥＤを配置しても良いし、例えば、赤色、緑色、青色のＬＥＤを少なくとも１組配置しても良い。
【００４８】
また、第２の実施の形態では、系統異常の検出を、別の異常検知システムで行って、この検知結果に基づいて、表示灯部や、経路表示部を点灯させるようにしても良い。また、実施の形態１でも系統異常時に表示灯部を自動的に点灯させるようにしても良い。
【００４９】
また、第２の実施の形態では、表示色による区別を必ずしも行わなくても良い。また、表示灯部１７ａ（１７ｂ，１７ｃ，…）や、経路表示部２１で、例えば、赤色、緑色、青色のＬＥＤを少なくとも１組配置し、故障の種別や故障箇所、重要度等に応じて、表示色を変えるようにしても良いし、点滅パターンを変えるようにしても良いし、表示色の変化と点滅パターンとの組み合わせによって示しても良い。例えば、重故障であれば、赤色表示や速い点滅、軽故障であれば黄色表示や遅い点滅等とする。また、例えば、点灯個数を変更して、表示灯全体の輝度を変えるようにしても良い。また、経路表示部２１において、電源側から負荷側へ、流れるように、各ＬＥＤを点滅表示するようにしても良いし、経路上に矢印を表示させても良い。
【産業上の利用可能性】
【００５０】
系統として、電源系統のほか、通信系統等の表示について適用できる。
【符号の説明】
【００５１】
１  電気盤
２  前面部
４ａ，４ｂ，…  帯状表示板（帯状表示部）
５ａ，５ｂ，…  操作釦（機器操作部、状態表示部）
７ａ，７ｂ，…  繋り表示部（第１の繋り表示部）
７ｅ，７ｆ，…  繋り表示部（第２の繋り表示部）
１１ａ，１１ｂ，…  断路器（機器）
１２ａ，１２ｂ，…遮断器（機器）
１６ａ，１６ｂ，…  色表示部（表示板）
１７ａ，１７ｂ，…  表示灯部
１８ａ，１８ｂ，…  操作釦（表示操作部）
２１  経路表示部（繋り経路表示部）
２３ａ，２３ｂ，…  繋り表示部
【図１】
2011004453.tif 000003
【図２】
2011004453.tif 000004
【図３】
2011004453.tif 000005
【図４】
2011004453.tif 000006
【図５】
2011004453.tif 000007
【図６】
2011004453.tif 000008
【図７】
2011004453.tif 000009
【図８】
2011004453.tif 000010